(57)【要約】【課題】複屈折が基準値以内となる一体成形により製造した光記録媒体を提供することにある。【解決手段】基板と、該基板に設けられた情報記録面と、該基板中央に突出して設けれらたクランピングエリアとを有する光記録媒体において、厚さ０．６ｍｍの基板と０．８５以上０．９５ｍｍ以下の厚さを有するクランピングエリアの境界部分において発生する樹脂の流れの乱流を抑制し、当該部分の複屈折が基準値の１００をこえることを防止すると同時に、０．８５以上０．９５ｍｍ以下の厚さを有するクランピングエリアにより再生機の互換性を確保することを可能とする。【選択図】図１
2004110869.tif 000002
【特許請求の範囲】
【請求項１】
基板と、該基板に設けられた情報記録面と、該基板中央に突出して設けれらたクランピングエリアとを有する光記録媒体において、
０．６ｍｍの厚さを有する基板と、
０．８５以上０．９５ｍｍ以下の厚さを有するクランピングエリアと、
を有することを特徴とする光記録媒体。
【請求項２】
前記クランピングエリアが、略０．９ｍｍの厚さを有することを特徴とする請求項１記載の光記録媒体。
【請求項３】
前記クランピングエリアの形状が、略円状であることを特徴とする請求項１乃至請求項２の何れか記載の光記録媒体。
【発明の詳細な説明】
【０００１】
【発明の属する技術分野】
本発明は、光記録媒体に関し、更に詳細には、一体成形で製造する光記録媒体に関する。
【０００２】
【従来の技術】
従来より、例えばＪＩＳＸ６２４１に定められる１２０ｍｍＤＶＤ再生専用ディスクのような光記録媒体がある。これは、成形された２枚の基板を貼り合わせる構成を採用し、情報記録面を２枚とすることで情報記憶容量を増加させた光記録媒体である。
【０００３】
しかしながら、従来の光記録媒体は２枚の基板を貼り合わせるという構成上、一体成形で製造する場合に比較して、貼り合わせ工程分のコストが増加するという問題点を有していた。特にこの問題点は、情報記録面１枚の情報記録容量で必要な情報をすべて記録させることができる場合において重要であった。すなわち、光記録媒体の再生機が２枚貼り合わせた厚さにおいて、稼動するように設計されているため、それらの再生機で再生させるためには、２枚を貼り合わせる必要がないにもかかわらず、商品化にはダミーの基板を貼り合わせる必要が有り、不要なコストが発生するという問題点を有していた。
【０００４】
この問題点に対し、特開２００１−３０７３７８号が開示されている。すなわち、特開２００１−３０７３７８号は、一体成形で光記録媒体を製造するとともに、基板中央に突出して設けれらたクランピングエリアの厚さを２枚貼り合わせた場合、つまり１．２ｍｍと同じにすることで再生機の互換性を確保している。しかしながら、特開２００１−３０７３７８号には以下の問題点があった。
【０００５】
一体成形を行うと、厚さ０．６ｍｍの基板と厚さ１．２ｍｍのクランピングエリアの境界部分において樹脂が流れに乱流が発生し、樹脂の特性が変質してしまう。その結果、当該部分の複屈折が基準値の１００を超えてしまい、その部分の情報を読み取ることが困難となるという課題を有していた。尚、複屈折とは光の縦波と横波の位相の差であり、例えばＪＩＳＸ６２４１においては、１２．５において基準値を１００ｎｍと定め、その測定方法については「付属書Ｂ複屈折の測定」において定めている。
【０００６】
【発明が解決しようとする課題】
本願発明はこのような問題点を解決するためになされたものであり、その課題とするところは、複屈折が基準値以内となる一体成形により製造した光記録媒体を提供することにある。
【０００７】
【課題を解決するための手段】
上記課題を達成するため本願発明の請求項１は、基板と、該基板に設けられた信号記録面と、該基板中央に突出して設けれらたクランピングエリアとを有する光記録媒体において、０．６ｍｍの厚さを有する基板と、０．８５以上０．９５ｍｍ以下の厚さを有するクランピングエリアと、を有することを特徴とする光記録媒体である。
【０００８】
本願発明は、請求項１の構成を採用することで、厚さ０．６ｍｍの基板と０．８５以上０．９５ｍｍ以下の厚さを有するクランピングエリアの境界部分において発生する樹脂の流れの乱流を抑制し、もって樹脂の特性の変質を抑制することで、当該部分の複屈折が基準値の１００をこえることを防止すると同時に、０．８５以上０．９５ｍｍ以下の厚さを有するクランピングエリアにより再生機の互換性を確保することを可能としている。
【０００９】
また、本願発明の請求項２は、前記クランピングエリアが、略０．９ｍｍの厚さを有することを特徴とする請求項１記載の光記録媒体である。
【００１０】
本願発明は、請求項２の構成を採用することで、厚さ０．６ｍｍの基板と厚さ略０．９ｍｍのクランピングエリアの境界部分において発生する樹脂の流れの乱流を効果的に抑制し、もって樹脂の特性の変質を確実に抑制することで、当該部分の複屈折が基準値の１００をこえることを防止すると同時に、略０．９ｍｍの厚さを有するクランピングエリアにより再生機の互換性を確保することを可能としている。
【００１１】
また、本願発明の請求項３は、前記クランピングエリアの形状が、略円状であることを特徴とする請求項１乃至請求項２の何れか記載の光記録媒体である。本願発明は、請求項３の構成を採用することで、回転中の安定性を向上させ、再生機の互換性を確保することを可能としている。
【００１２】
【発明の実施の形態】
以下、本願発明を図面に基づき詳細に説明する。
図１は、本願発明における光記録媒体の断面図である。
図１において、１は光記録媒体、２はクランピングエリア、３は貫通孔、４はクランピングエリアと基板の境界部分、５は基板、６は情報記録面、７は読取用光、８は基板の厚さ、９はクランピングエリアの厚さである。
【００１３】
図１において、光記録媒体１は基板５と、基板５該中央に突出して設けれらたクランピングエリア２を有している。また、基板５はクランピングエリア２突出側の面に情報記録面６を有しており、クランピングエリア２は該中央に貫通孔３を有している。更に、基板の厚さ８は０．６ｍｍであり、クランピングエリアの厚さ９は０．９ｍｍである。
【００１４】
図１において、読取用光７は、基板５のクランピングエリア２突出側と対向する面より入射することで情報記録面６の情報を読み取る。その際、読取用光７は基板とクランピングエリアの境界部分４を通過することとなるが、境界部分４は複屈折が基準値１００ｎｍを超えていないため、情報の読取りに使用買いが発生する事はない。
【００１５】
図２は、本願発明におけるクランピングエリアの厚さと複屈折の関係を示す図である。図２において、２１は複屈折を示す縦軸、２２はクランピングエリアの厚さを示す横軸、２３は複屈折１００ｎｍである基準値、２４はクランピングエリアの厚さの変化とその際の複屈折の値を示す対応曲線である。
【００１６】
図２において、縦軸２１は基準値２３を中心とした複屈折を示しており、横軸２２はクランピングエリアの厚さを０．６ｍｍから１．２ｍｍまでを示している。対応曲線２４は、クランピングエリアの厚さ０．６ｍｍすなわち基板の厚さと同等で突出の無い場合より始まり、クランピングエリアの厚さが増加するに従い複屈折の値が増加していることを示している。そして、複屈折の値は、クランピングエリアの厚さが０．９５ｍｍ近傍において基準値２３に達し、クランピングエリアの厚さが１．０ｍｍとなった場合、複屈折の値は基準値２３をこえ、その後１．２ｍｍまで、急速に値が大きくなっている。従って、複屈折の値を基準値以下とするためには、少なくともクランピングエリアの厚さが０．９５ｍｍ以下である必要が有り、安定して複屈折の値を基準値以下とするためには、クランピングエリアの厚さを０．９ｍｍ以下とする必要が有る。
【００１７】
図３は、本願発明におけるクランピングエリアの厚さとドライブのクランピング特性の関係を示す図である。図３において、３１はドライブのクランピング特性を示す縦軸、３２はクランピングエリアの厚さを示す横軸、３３はクランピングエリアの厚さの変化とその際のドライブのクランピング特性の値を示す対応曲線である。
【００１８】
図３において、縦軸３１はドライブのクランピング特性を示しており、具体的には、異なるクランプ方式を採用している複数社の再生機における再生成功台数を代用特性として採用している。従って、縦軸３１において「悪」とは、再生に成功した再生機の台数が少なく、「良」とは、再生に成功した再生機の台数が多いことを示している。横軸３２は図２と同様のため説明を割愛する。対応曲線３２は、クランピングエリアの厚さ３２が０．９ｍｍを超えた時点で規格である１．２ｍｍとほぼ同等の良好さを示し、０．８ｍｍから０．９ｍｍの間で急速に悪化し、０．８ｍｍ以下ではドライブのクランピング特性が悪いことを示している。従って、ドライブのクランピング特性を良好な状態とするには少なくとも０．８５ｍｍ以上のクランピングエリアの厚さが必要であり、安定したドライブのクランピング特性を得るには、０．９ｍｍ以上のクランピングエリアの厚さが必要である。
【００１９】
【発明の効果】
本願発明は、請求項１の構成を採用することで、厚さ０．６ｍｍの基板と０．８５以上０．９５ｍｍ以下の厚さを有するクランピングエリアの境界部分において発生する樹脂の流れの乱流を抑制し、もって樹脂の特性の変質を抑制することで、当該部分の複屈折が基準値の１００をこえることを防止すると同時に、０．８５以上０．９５ｍｍ以下の厚さを有するクランピングエリアにより再生機の互換性を確保することを可能とするという作用効果を奏する。
【００２０】
また、本願発明は、請求項２の構成を採用することで、厚さ０．６ｍｍの基板と厚さ略０．９ｍｍのクランピングエリアの境界部分において発生する樹脂の流れの乱流を効果的に抑制し、もって樹脂の特性の変質を確実に抑制することで、当該部分の複屈折が基準値の１００をこえることを防止すると同時に、略０．９ｍｍの厚さを有するクランピングエリアにより再生機の互換性を確保することを可能とするという作用効果を奏する。
【００２１】
また、本願発明は、請求項３の構成を採用することで、回転中の安定性を向上させ、再生機の互換性を確保することを可能とするという作用効果を奏する。
【図面の簡単な説明】
【図１】本願発明における光記録媒体の断面図である。
【図２】本願発明におけるクランピングエリアの厚さと複屈折の関係を示す図である。
【図３】本願発明におけるクランピングエリアの厚さとドライブのクランピング特性の関係を示す図である。
【符号の説明】
１…光記録媒体、２…クランピングエリア、３…貫通孔、４…クランピングエリアと基板の境界部分、５…基板、６…情報記録面、７…読取用光、８…基板の厚さ、９…クランピングエリアの厚さ、２１…複屈折を示す縦軸、２２…クランピングエリアの厚さを示す横軸、２３…複屈折１００ｎｍである基準値、２４…クランピングエリアの厚さの変化とその際の複屈折の値を示す対応曲線、３１…ドライブのクランピング特性を示す縦軸、３２…クランピングエリアの厚さを示す横軸、３３…クランピングエリアの厚さの変化とその際のドライブのクランピング特性の値を示す対応曲線
【図１】
2004110869.tif 000003
【図２】
2004110869.tif 000004
【図３】
2004110869.tif 000005